(57)【要約】【課題】  本発明は、コインゲーム機で、ポイントを変えたコインで従来のコインの何枚分かに相当するコインを用意し、外径的には従来のコインと同様でコインの種類を複数にし、従来のコインと互換的に利用できるゲーム機を提供することを課題とする。【解決手段】  コインゲーム機に利用するコインの外形面に溝を設け、ゲーム機側は溝に適合する投入口を設けて限定したコインの受け入れを可能とした。またゲーム機は溝の無い従来のコインを投入できる投入口を更に設けて複数の投入口を備える。従来のコインと径、厚みで、互換性のある利用を可能にした。ゲーム機に於いて、外形に溝を設けたコインと溝の無い従来コインとを異なるポイントで、溝付きコインが従来コインの何倍かに相当するなどと設定すれば、ゲーム機に投入する場合、より少ないコインで必要な投入を行うことが出来る。またコインを持つ場合もポイントの高いコインに変えた、持ち運びが出来る。【選択図】  図１
2007115206.tif 000002
【特許請求の範囲】
【請求項１】
コインを利用する、ゲーム機に於いて、面に溝を設けたコインと、コイン投入口は該コインの溝に適合する口形で、投入コインを該溝付きコインに限定できて、従来のコインと外径、厚みで互換性を持ち、ゲーム機内で外径、厚みを利用した同様な扱いを可能にしたことを特徴とする、コインゲーム機
【請求項２】
コインを利用するゲーム機の、面に溝を設けたコインと投入口は該コインの溝に適合する口形を備えるゲーム機に於いて、コインの表裏面に溝を対称に設け、投入口は対称な溝に適合する口形を備えて、コインの投入が表向き裏向き何れにても投入でき、従来コインと互換の外径、厚みで、ゲーム機内でのコインは同様な扱いを可能としたことを特徴とする、コインゲーム機
【請求項３】
コインを利用する、ゲーム機に於いて、面に溝を設けたコインと溝の無い従来コイン等、複数通りのコイン投入口を設けて、コインを別々にカウントし、互いに異なるポイントでゲームが出来ることを特徴とする、コインゲーム機
【請求項４】
面に溝を設けたコインと溝の無い従来コインと２通りの投入口を設けて、コインを投入できるコインゲーム機で、従来コイン投入口は溝付きコインや他の異なるコインを検出して、コイン戻し口へ返却送出する、検出手段を備えて特徴とする、請求項３のコインゲーム機
【発明の詳細な説明】
【技術分野】
【０００１】  本発明は、コイン、メダルを利用するゲーム機に関して、従来のコインと同様に利用でき、従来のコインと目視的、又ゲーム機への投入で区別されるコインと、従来のコインを併用して、夫々コインの保有するポイントを違えて利用する、コインゲーム機に関するものである。
【背景技術】
【０００２】  従来コインを利用したゲーム機は決められたポイント分のコインを投入してゲームする、景品獲得ゲームや映像画面でレースを予想するゲーム、パチスロ等ゲームセンターで、プレイヤーがゲームを開始する為に投入するコインや、コインを弾いて的を狙い打つ等のコインゲーム機があった。従来のコインゲーム機に利用されるコインはそのゲーム機に適合する一種類である。ゲーム機に利用する従来のコインと同様に扱う事が出来て、コインのポイントを違えて、複数のコインを利用できるゲーム機が求められていた。
【特許文献１】  特開平７−３３４７４２  号  公報
【特許文献２】  実用登録３１１３７１４  号  公報
【特許文献３】  特開２０００−３００８２２  号  公報
【発明の開示】
【発明が解決しようとする課題】
【０００３】  本発明の課題は、コインを利用するゲーム機のコイン投入、ゲームで獲得したコインの払い出しなどに多くのコインを要する傾向にあり、枚数の多いコインを持ちながらの移動や、景品に換える場合など、数の多いコインはその扱いで不便な場合がある。そこでポイントの異なるコイン、従来コインの何枚分かに相当するような別のコインを用意して、より少ないコインで対応でき、形状的には従来のコインと外径、厚みを同様にし、ゲーム機内のコイン通路、受け皿、打撃装置等々の機器、部品を互換的に利用できるゲーム機を提供することにある。
【課題を解決するための手段】
【０００４】  本発明は、ゲーム機に利用するコインの面に溝を設け、ゲーム機の投入口はコインの溝に合う凸形の有る断面で、投入コインを投入口形に合わせ限定した受け入れを可能とした。またコインに設ける溝を、コインの表裏面に対称に加工して設け、ゲーム機の投入口もコインの対称な溝に合う凸形の有る断面で、コインの投入を表向き裏向き何れにても投入可能にした。【０００５】  溝付きコインは従来コインと外径、厚みで互換性を有し、コインの投入口では溝付きの断面で、従来コインと区別して受け入れ、ゲーム機に投入受け入れ後は溝付きコインと従来のコインと外径、厚さで同様にし、ゲーム機内のコイン通路、受け皿、打撃装置等々は従来のコイン用の部品、ユニットと互換的に利用できる構造に成した。【０００６】  ゲーム機に於いて、面に溝を設けたコインと溝の無い従来コインと異なるポイントにして、ゲーム機に２通りのコイン投入口を設け、例えば溝付きコインが従来コインの何枚分かに相当する、などと設定すれば、ゲーム機に多くのコイン投入を要する場合、溝付きコインで、より少ない枚数での必要な投入を行うことが出来る。またコインを持っての移動や、景品と換える場合等もポイントの高い溝付きコインに換えて、持ち運びや、ポイントの多い投入が容易になる。ゲーム機などへコインを投入する場合、溝付きコインは従来コイン用の投入口へ投入が可能な為、ゲームプレーヤーが間違って投入する等の場合に備えて、従来コイン投入口には投入された溝付きコインを検出し、コイン戻し口へ返却送出するように成してある。
【発明の効果】
【０００７】  本発明は前記のような手段を講じたことにより、次のような効果を奏する。請求項１の発明は、ゲーム機で利用されていた従来のコインと厚さ外径が同じで、面に溝を設けたコインと、ゲーム機にコインを投入する投入口を該コインの溝形に合わせて作成することで、従来のコインの投入を受け付けず、適合する溝付きコインのみを受け入れ投入できることになる。従来コイン、溝付きコインの外径と厚さを互換的に成したことで、ゲーム機に投入された後のコイン通路など、部品、ユニットを従来コイン用と共通に製作、利用が可能となる。コインゲームでコインを弾いて的を狙うなどのゲームでも、従来コインと溝付きコイン、同様に扱うことが出来て、目視で判別も出来、ゲームに利用する可能性を多くする。例えば積み上げたコインをゲーム装置がゆすり崩し、こぼれ落ちるコインをプレイヤーが上手にバケットを操縦して、如何に多く受け取るかなど、従来コイン、溝付きコインが混在しても、外径、厚さが同じで違和感無く利用できる。【０００８】  請求項２の発明は、ゲーム機で利用されていた従来のコインと厚さ外径が同じで、面に溝を設けたコインと、ゲーム機のコインを投入する投入口を該コインの溝形に合わせて作成する。ゲーム機の投入口は従来コインや適合しないコインの投入を受け付けず、適合する溝付きコインのみを受け入れ投入できる。またコインの溝とゲーム機のコイン投入口の溝形を表裏対称にして、コイン挿入は面の表裏別なく出来て、コインの挿入をより容易にした。対称な溝のコインも外径と厚さを従来コインと互換的に成して、ゲーム機に投入された後のコイン通路など、部品、ユニットを従来コインと共通に製作、同様な利用が可能となる。コインゲームでゲームに利用する場合コインを弾いて的を狙うなどのゲームでも従来コイン、対称な溝付きコインも同様に扱うことが出来て、目視等の判別も出来、ゲームに利用する場合の可能性も多く、利用する範囲を広くする。【０００９】  請求項３の発明は、コインを投入してゲームを行うコインゲーム機で、表裏面に溝を設けたコインや、溝の無い従来のコインなどを投入出来る投入口を複数設けて、夫々のコインのポイント数を別々に設定し、例えばゲーム機に設定してあるゲームが従来コインの１０個コインでプレイできるもの、２０個コインでプレイするもの、などで用意されていた場合、例えば溝付きコインを従来コインの１０枚分として、溝付きコインの１枚の投入、２０個の従来コインに替えて溝付きコインを２枚で、夫々プレイを許可することも出来る。又ゲームの結果でプレイヤーが獲得したポイントをコインで、精算払い出す場合にも、従来コイン１０枚と溝付きコイン１枚の比で交換するなどが出来、掴んで持ち歩くなどの場合は、体積的な扱いを容易にする。無論従来コインとの交換以外にも景品との引き換えレートを別に定めて、景品交換に用いる場合も同様に有効になる。【００１０】  請求項４の発明は、表裏面に溝を設けたコインや、溝の無い従来のコインなどを投入する投入口を複数設けて、プレイヤーのコイン投入を待機するゲーム機に於いて、従来コインは、溝付きコインの投入口には挿入できないが、従来コイン用の投入口には溝付きコインが投入出来、不都合なことになる���従来コイン用の投入口へ溝付きのコインが投入された場合は、該溝付きコインは他の異種なコイン同様に選別されて、コイン戻し口へ戻される。
【発明を実施するための形態】
【００１１】  以下、本発明の一実施例を図面に示して説明する。「図１」、「図２」、「図３」、「図４」、「図５」、「図６」、「図７」、「図８」、「図９」、に本発明の実施例を示した。本実施例のコインゲーム機１のゲームは図１、図８ないし図９に示す形態で、景品の獲得ゲームを行う。プレイヤーは、溝なしコイン投入プレート２の、溝なしコイン投入口２ａと、溝付きコイン投入プレート３の、溝付きコイン投入口３ａに、ゲームを行うに必要とするポイントを、溝なしコイン５、又は溝付きコイン７で適宜投入する。投入されたコインのポイント数で予め設定されている回数、ゲームが出来る。例えばルーレット様のゲームで、景品ハンガー８の夫々を、景品の種類別に設定し、景品ハンガー８の夫々にターゲット番号を定める。
【００１２】  コインゲーム機１の表示装置１２でサークル状に配置したランプ、の光を、ゲームがスタートすると回転しているように点滅制御する。サークル状に配置したランプ、の位置に景品ハンガー８の夫々のターゲット番号が配置してある。ゲームスタートでランプの光が狙うターゲット番号で停止するように、ゲームスイッチボタン９をオンして、ゲーム決定スイッチオン１７を作動させ、ランプ光を停止させる。ランプ光の位置がターゲット番号と一致した、該当する景品ハンガー８を作動させ、景品を外して落下し、景品払い出し口１０へ導出する。投入ポイントの遊技回数より、ポイント減算管理１８で、遊技回数を減算処理し、遊技回数の残数がある場合はゲーム種表示１５から再度ゲームを行う。遊技回数の残数０で、ゲームが終了した場合は、広告表示１２ａの表示をして待機する。
【００１３】  コインゲーム機は近来、多めのコインで遊技するものも有り、コインの持ち運びや、コイン投入で枚数を少なく簡単に、又景品の交換なども少ないコインで扱いを簡単容易にする。図４に示す、溝なしコイン５は、従来からコインゲームに利用されるコインである。図７に示す、溝付きコイン７の外径、厚みは、従来から利用されているコインと同様な互換性のある寸法で作成してある。コインゲーム機１には、従来の溝なしコイン５を投入する、溝なしコイン投入プレート２の、溝なしコイン投入口２ａと、溝付きコイン７を投入する、溝付きコイン投入プレート３の、溝付きコイン投入口３ａとを備える。コイン投入後の、コインゲーム機１、内のコイン処理で、コインの径、厚みを、扱いの要素とする、機器部品やユニットを共通部品で製作し、部品の種類を少なくする。溝付きコイン７は、溝付きコイン投入プレート３、の溝付きコイン投入口３ａで、挿入コインの適、不適を投入口断面形状で機械的に選別して受け入れる。
【００１４】  コイン投入口を備える、コインゲーム機に於いて、コインの表裏面に溝を対称に設けた、溝付きコイン７と、コインゲーム機１のコイン投入口を、溝付きコイン７の溝形に合わせ、左右対称な溝合い凸３ｂでの溝付きコイン投入口３ａとして、溝付きコイン７を投入する場合に、左右何れの向きにても挿入できる形状とした。ここで溝付きコイン７のコイン溝６ａを、コイン上下中心線で振り分け対称に作成して、コインゲーム機１の溝付きコイン投入口３ａの、溝合い凸３ｂを、さらに上下中心線に対称のコイン溝６ａと適合する投入口で備えれば、この溝付きコイン７は、コイン挿入に於いて、表裏、上下に注意することなく容易に挿入して投入できる。
【００１５】  コインゲーム機１には、溝なしコイン投入プレート２の、溝なしコイン投入口２ａ、と溝付きコイン投入プレート３の、溝付きコイン投入口３ａと、複数通り本例では２通りの投入口を設けて、溝なしコイン５と溝付きコイン７のコインの価値ポイントを夫々に例えば１ポイント、１０ポイントで１０倍のポイントにしてゲームを構成する。溝付きコイン７と溝なしコイン投入口２ａの形状から、溝なしコイン投入口２ａへ、溝付きコイン７を誤って投入することも考慮できる。溝なしコイン投入口２ａへ挿入された、溝付きコイン７は、コイン検出手段１１で、選別されて、コイン戻し口２ｂへ戻され、他の異形コインと同様に、溝付きコイン７の受け入れをしない、誤投入防止の構造とした。
【００１６】  このように成して、ゲーム機でコインゲームの遊技を行う場合に、複数種のコインを利用でき、コインゲーム機で異なるコイン溝付きコイン７、溝なしコイン５と、夫々異なるポイントで使用できて、コインの利用範囲が広くなり、ポイントの高いコインで、数を少なくし扱い易くなる。溝なしコイン５は従来利用されているコインで、溝付きコイン７と、コイン外径、厚さで互換性を有し、ゲーム機に投入された後のコイン通路などの、部品、ユニットを従来利用されているコイン用と共通に製作、利用が可能となり、コインゲーム機の製造面でも有効である。
【図面の簡単な説明】
【００１７】
【図１】本発明のコインゲーム機の一実施例斜視図である。
【図２】図１、コインゲーム機の、溝なし従来コイン投入口のパネルである。
【図３】従来の溝の無いゲーム用コインの側面図である。
【図４】図３のコインの平面図である。
【図５】図１、コインゲーム機の、溝の有るコイン投入口のパネルである。
【図６】溝の有るゲーム用コインの側面図である。
【図７】図６のコインの平面図である。
【図８】図１、コインゲーム機のブロック図である。
【図９】図１、コインゲーム機のフローチャート図である。
【符号の説明】
【００１８】      １    コインゲーム機
２    溝なしコイン投入プレート
２ａ    溝なしコイン投入口
２ｂ    コイン戻し口
３    溝付きコイン投入プレート
３ａ    溝付きコイン投入口
３ｂ    溝合い凸
３ｃ    溝付きコイン戻し口
４    溝なしコイン側面
５    溝なしコイン
６    溝付きコイン側面
６ａ    コイン溝
７    溝付きコイン
８    景品ハンガー
９    ゲームスイッチボタン
１０    景品払い出し口
１１    コイン検出手段
１２    表示装置
１２ａ    広告表示
１３    Ａコイン投入検出
１４    Ｂコイン投入検出
１５    ゲーム種表示
１６    ゲーム選択
１７    ゲーム決定スイッチオン
１８    ポイント減算管理
【図１】
2007115206.tif 000003
【図２】
2007115206.tif 000004
【図３】
2007115206.tif 000005
【図４】
2007115206.tif 000006
【図５】
2007115206.tif 000007
【図６】
2007115206.tif 000008
【図７】
2007115206.tif 000009
【図８】
2007115206.tif 000010
【図９】
2007115206.tif 000011